(57)【特許請求の範囲】
【請求項１】
上面開口部外周にフランジ(2) を有する容器本体(3) の上面に着脱可能に装着される運搬容器用枠(1) であって、四角形状の容器本体(3) の上面開口部外周に嵌合する四角形状の枠本体(11)と、該枠本体(11)の内周に設けられて前記容器本体(3) のフランジ(2) に載置される鍔体(12)と、前記枠本体(11)の相対向する二辺の一方の鍔体下方に設けられて前記フランジ(2) に係合する角状突起(13)と、他方の鍔体下方に設けられて前記フランジ(2) に係合する斜辺付き突起(14)とを備えるとともに、前記角状突起(13)の両側面に、スペーサー(19)を上方から装着可能な縦溝(13a) を有し、前記スペーサー(19)は、前記縦溝(13a) に係合する突辺(19a) と、前記角状突起(13)に装着したときに前記枠本体(11)の内周側に突出して前記運搬容器用枠(1) よりも小さな上部開口を有する、前記とは別の容器本体の上面開口部外周のフランジに係合する角状突起(19c) とを有していることを特徴とする運搬容器用枠。
【請求項２】
前記枠本体(11)は、その一辺に開口部を開閉可能な蓋体(16)をヒンジ結合していることを特徴とする請求項１記載の運搬容器用枠。
【発明の詳細な説明】
【０００１】
【産業上の利用分野】
本発明は、運搬容器用枠に関し、詳しくは、運搬容器等の開口部に装着する枠体であって、運搬容器の上面開口部と対応する環状の周壁を備えた運搬容器用枠に関する。
【０００２】
【従来の技術】
従来から、上面が開口した運搬容器等の開口部に装着して、例えば、その容器の内容積を増加させたりする運搬容器用枠が知られており、さらに、枠本体に略同形の補助枠体をヒンジを介して回動自在に取り付けるとともに、その補助枠体に開口を覆う蓋体を装着した蓋付の運搬容器用枠も知られている。
【０００３】
この種の運搬容器用枠は、一般に、運搬容器などの上面開口部に対応する環状の周壁を形成するとともに、該周壁の下方端縁に容器本体の開口部のフランジに載置する鍔体を突設した形状に形成されており、容器本体との固定構造としては、前記鍔体を前記フランジに載置した後、例えばコ字状の弾性挟持具で鍔体とフランジとを一緒に挟み込んで固定する構造のものや、鍔体とフランジとに貫通孔を設け、この貫通孔に銛状係止具を挿入して鍔体とフランジとを一体的に固定する構造のもの、あるいはこの両者を併用した構造のものが知られている。
【０００４】
【発明が解決しようとする課題】
しかし、弾性挟持具で鍔体とフランジとを挟み込んで固定するものは、固定作業や分離は容易に行えるが、運搬容器を長時間使用しているうちに、振動等で弾性挟持具が外れることがある。これを防止するため、弾性挟持具を取り付ける箇所に嵌合溝を設けることも行われているが、前記同様に長時間の使用には難があった。一方、銛状係止具を用いた場合は、鍔体とフランジとを強固に固定することができるが、運搬容器用枠を分離する際の銛状係止具の取り外しが面倒であった。
【０００５】
そこで本発明は、容器開口部への装着や取り外しを容易に行うことができ、装着強度も十分な運搬容器用枠を提供することを目的としている。
【０００６】
【課題を解決するための手段】
上記した目的を達成するため、本発明の運搬容器用枠は、上面開口部外周にフランジを有する容器本体の上面に着脱可能に装着される運搬容器用枠であって、四角形状の容器本体の上面開口部外周に嵌合する四角形状の枠本体と、該枠本体の内周に設けられて前記容器本体のフランジに載置される鍔体と、前記枠本体の相対向する二辺の一方の鍔体下方に設けられて前記フランジに係合する角状突起と、他方の鍔体下方に設けられて前記開口部フランジに係合する斜辺付き突起とを備えるとともに、前記角状突起の両側面にスペーサーを上方から装着可能な縦溝を有し、前記スペーサーは、前記縦溝に係合する突辺と、前記角状突起に装着したときに前記枠本体の内周側に突出して前記運搬容器用枠よりも小さな上部開口を有する、前記とは別の容器本体の上面開口部外周のフランジに係合する角状突起とを有していることを特徴としている。
【０００７】
さらに、本発明の運搬容器用枠は、前記枠本体は、その一辺に開口部を開閉可能な蓋体をヒンジ結合していることを特徴としている。
【０００８】
【作  用】
上記構成の運搬容器用枠は、角状突起が設けられている側の一辺を容器本体の上面開口部外周に設けられているフランジに当接させ、角状突起あるいはこの角状突起に装着したスペーサーの角状突起部の上面をフランジ下面に当接させた後、斜辺付き突起を設けた側を容器本体側に押し付けると、斜辺付き突起がフランジの縁を滑り下りるようにして移動し、斜辺付き突起がフランジを乗り越えてフランジ下面に係止して容器本体と運搬容器用枠とが一体化される。運搬容器用枠を取り外す際には、これとは逆に斜辺付き突起を設けた側を持ち上げればよい。
【０００９】
また、角状突起にスペーサーを装着することにより、容器本体の開口部が運搬容器用枠より小さい場合でも、運搬容器用枠を上記同様にして取り付けることができる。さらに、運搬容器用枠に蓋体を設けることにより、蓋付容器として使用することができる。
【００１０】
【実施例】
以下、本発明を、図面に示す一実施例に基づいてさらに詳細に説明する。
図１は本発明の運搬容器用枠の一実施例を示すもので、図２のＩ−Ｉ線断面図である。図２は同じく平面図、図３は同じく斜視図、図４は斜辺付き突起部分の断面側面図、図５及び図６は角状突起にスペーサーを装着した状態を示すもので、図５は断面側面図、図６は図５のVI−VI線断面図である。
【００１１】
この運搬容器用枠１は、有底箱状で、かつ、上面開口部外周にフランジ２を有する合成樹脂製の容器本体３の上面に着脱可能に装着されるもので、容器本体３の上面開口部外周に対応する四角形状の合成樹脂製の枠本体１１と、該枠本体１１の内周に設けられた鍔体１２と、前記枠本体１１の相対向する二辺にそれぞれ設けられた角状突起１３及び斜辺付き突起１４と、枠本体１１の一辺に設けたヒンジ１５を介して開閉可能に設けられた蓋体１６とを備えるもので、さらに、枠本体１１の外周には、蓋体１６の外周部に対応した鍔辺１７と、必要に応じて蓋体１６とに設けられる施錠装置の取付け部１８とが設けられている。
【００１２】
前記鍔体１２は、その下面が、運搬容器用枠１を容器本体３に装着した際に容器本体３のフランジ２の上面に当接して運搬容器用枠１を支持するものであり、この鍔体１２の下面と前記角状突起１３及び斜辺付き突起１４の上面との間の距離は、フランジ２の厚さと略等しく設定されている。なお、運搬容器用枠１のガタツキを防止するために鍔体１２の下面にパッキングや発泡体等の弾性体を設ける場合には、該弾性体の厚みや変形量を考慮して両者の距離を設定する。
【００１３】
前記角状突起１３は、枠本体１１の一辺の両隅部近傍にそれぞれ１個ずつ設けられており、フランジ２の下面に当接する上面は平面状に形成されている。また、角状突起１３の両側面には、図５及び図６に示すようにスペーサー１９を装着するための縦溝１３ａが設けられており、鍔体１２には、角状突起１３の上方にスペーサー１９を装着するための切欠き部１２ａが設けられている。
【００１４】
一方、前記斜辺付き突起１４は、前記角状突起１３に略対向するように設けられており、その突出端面には、下方が枠本体１１側に向かう傾斜面１４ａが形成されている。この斜辺付き突起１４の大きさは、前記角状突起１３より僅かに小さく形成されているが、その上面と鍔体１２との距離は、角状突起１３と同様に形成されている。
【００１５】
このように構成した運搬容器用枠１を容器本体３に装着する際には、まず、角状突起１３が設けられている側の一辺を容器本体３のフランジ２に当接させ、フランジ２を角状突起１３と鍔体との間で挟むようにした後、斜辺付き突起１４を設けた側を容器本体３側に押し付けるようにする。これにより、斜辺付き突起１４の傾斜面１４ａがフランジ２の端縁を滑り下りるようにして移動し、斜辺付き突起１４がフランジ２を乗り越えてフランジ２の下面に係止し、容器本体３と運搬容器用枠１とが一体化される。
【００１６】
容器本体３から運搬容器用枠１を取り外す際には逆に斜辺付き突起１４を設けた側の枠本体１１を、外側に広げるようにして持ち上げればよい。これにより、斜辺付き突起１４とフランジ２との係止状態を解除することができ、運搬容器用枠１を取り外すことができる。
【００１７】
上述の運搬容器用枠１の着脱において、枠本体１１の両側に角状突起を設けた場合に比べて容易に着脱でき、両側に斜辺付き突起を設けた場合に比べて取付け強度を向上させることができる。
【００１８】
なお、斜辺付き突起１４の設置位置が枠本体１１の角部に近い程、枠本体１１の変形量が少ないので斜辺付き突起１４とフランジ２との係止力を大きくかつ確実にすることができる。しかし、この場合は、運搬容器用枠１の着脱にも大きな力を必要とするので、容器本体３及び枠本体１１の大きさや強度等に応じて最適な位置に最適な大きさの斜辺付き突起１４を設けるようにすることが好ましい。
【００１９】
前記スペーサー１９は、側面視略Ｌ字状に形成されており、基部側には、前記角状突起１３の縦溝１３ａに係合する突辺１９ａを有する下方が開口したＴ字状の切欠き溝１９ｂが設けられており、先端の角状突起部１９ｃの厚さ（上下方向の寸法）は、角状突起１３と略同一に設定されている。
【００２０】
このスペーサー１９は、運搬容器用枠１よりも小さな上部開口を有する容器本体３に運搬容器用枠１を装着する際に使用するものであって、枠本体１１に設けた角状突起１３と斜辺付き突起１４とではフランジ２を係止できない場合に使用する。
【００２１】
すなわち、角状突起１３にスペーサー１９を上方から装着すると、スペーサー１９の先端の角状突起部１９ｃが枠本体１１の内周側に突出し、対向する斜辺付き突起１４との間の距離が短くなるので、運搬容器用枠１より一回り乃至二回り小さな上部開口を有する容器本体３にでも、運搬容器用枠１を前記同様にして装着することができる。したがって、先端の角状突起部１９ｃの突出量が異なる複数のスペーサー１９を用意しておくことにより、各種開口寸法の容器本体に一つの運搬容器用枠１を装着することができる。
【００２２】
また、運搬容器用枠１に合成樹脂や布等で形成した蓋体１６を設けることにより、上面が開口した容器本体３を蓋付容器として使用することができ、埃や水の侵入を防止できる。さらに、防犯対策等で施錠装置を設けることもできる。この場合、蓋体１６の外周枠を強固に形成することにより、蓋体１６を閉じたときに枠本体１１が外側に広がることを防止することができ、容器本体３から運搬容器用枠１が取り外されるのを防ぐことができる。
【００２３】
なお、枠本体１１の上縁部を容器本体３のフランジ２と同形状に形成しておくことにより、運搬容器用枠１の上に更に運搬容器用枠１を重ねて装着することができる。
【００２４】
【発明の効果】
以上説明したように、本発明の運搬容器用枠は、枠本体の相対向する二辺に、容器本体のフランジに係合する角状突起と斜辺付き突起とを設けたので、運搬容器等に容易に着脱することができ、容器の内容積を容易に増加させることができる。また、角状突起にスペーサーを装着することにより、運搬容器用枠より小さい開口の容器本体にも、運搬容器用枠を取り付けることができ、さらに、運搬容器用枠に蓋体を設けることにより、蓋付容器として使用することができる。
【図面の簡単な説明】
【図１】図２のＩ−Ｉ線断面図である。
【図２】本発明の一実施例を示す運搬容器用枠の平面図である。
【図３】同じく斜視図である。
【図４】斜辺付き突起部分の断面側面図である。
【図５】角状突起にスペーサーを装着した状態を示す断面側面図である。
【図６】図５のVI−VI線断面図である。
【符号の説明】
１…運搬容器用枠、２…フランジ、３…容器本体、１１…枠本体、１２…鍔体、１３…角状突起、１３ａ…縦溝、１４…斜辺付き突起、１４ａ…傾斜面、１５…ヒンジ、１６…蓋体、１９…スペーサー、１９ａ…突辺、１９ｃ…角状突起部
【図１】
0003543231.tif 000002
【図２】
0003543231.tif 000003
【図３】
0003543231.tif 000004
【図４】
0003543231.tif 000005
【図５】
0003543231.tif 000006
【図６】
0003543231.tif 000007